(57)【特許請求の範囲】
【請求項１】
機器を壁面に据え付けるために使用され、複数枚が横方向または縦方向に壁面に配列して固定される据付板であって、
前記据付板の縁部の一部を切り欠いて形成された切欠部と、
前記据付板の一部に、取り外し可能に一体形成された前記切欠部に対応する形状の位置決め部を有する位置決め冶具と、
前記切欠部の一部に、当接された前記位置決め冶具の一部を係止するように形成された係止片と、を有することを特徴とする据付板。
【請求項２】
前記位置決め冶具が、対称な形状に形成された請求項１に記載の据付板。
【請求項３】
前記切欠部が、前記据付板の一辺の縁部に複数形成され、前記複数の切欠部の間に第２当接部が位置し、前記位置決め冶具が、複数の前記位置決め部と、前記複数の位置決め部を接続し、前記第２当接部に当接する第２位置決め部を有する間隔位置決め部から構成されることを特徴とする請求項１または２に記載の据付板。
【請求項４】
前記切欠部は、複数枚の前記据付板の配列方向に平行な一対の第１当接部と前記配列方向に垂直な係止部により矩形状に形成され、
前記位置決め部は、前記一対の第１当接部が当接する前記第１位置決め部と前記係止部が係止する被係止部と、を有し、
前記第１当接部と前記第１位置決め部が当接することで前記配列方向に垂直な方向が合致するように位置決めがされ、
前記第２当接部と前記第２位置決め部が当接することで前記配列方向の間隔が位置決めされる請求項３に記載の据付板。
【請求項５】
前記位置決め冶具は、矩形状に形成された一対の前記位置決め部を前記間隔位置決め部で連続して形成した、全体としてＨ字形状に形成される請求項４に記載の据付板。
【請求項６】
前記係止片が、前記係止部に形成された、請求項４または５に記載の据付板。
【請求項７】
前記係止片が、前記第１当接部に形成された、請求項４または５に記載の据付板。
【請求項８】
前記係止片が、前記壁面と垂直な方向に弾性を有する薄い金属片で形成された、請求項１〜７のいずれかに記載の据付板。
【請求項９】
前記位置決め冶具は、前記据付板とミクロジョイントを介して連続されている、請求項１〜８のいずれかに記載の据付板。
【請求項１０】
機器を壁面に据え付けるために使用され、複数枚が横方向または縦方向に壁面に配列して固定される据付板であって、
前記据付板の縁部の一部を切り欠いて形成された切欠部と、
前記据付板の一部に、取り外し可能に一体形成された前記切欠部に対応する形状の位置決め部を有する位置決め冶具と、を具備し、
前記切欠部は、前記据付板の中央に向かって傾斜した一対の第３当接部により三角形状に形成され、
前記位置決め冶具は、前記一対の第３当接部が当接する前記第３位置決め部を有し、
前記第３当接部と第３位置決め部が当接することで、前記複数枚の据付板の配列方向に垂直な方向と、前記配列方向の間隔が合致するように位置決めがされることを特徴とする据付板。
【発明の詳細な説明】
【技術分野】
【０００１】
この発明は、家屋や店舗などの屋内または屋外の壁面に電力調整器（パワーコンディショナ）や配電盤、エアコンなどの機器を据え付けるために使用される据付板に関する。
【背景技術】
【０００２】
近年、環境意識の高まりから、太陽光発電用のソーラーパネルを設置した家屋や店舗が増えている。ソーラーパネルで発電した電力は屋内または屋外の壁面（以下、「壁面」と称する場合がある。）に設置される電力調整器で調整され、屋内配電線や電力会社などの送電線に供給される。電力調整器は、壁面に固定した据付板に引っ掛けて据え付けられる（例えば、特許文献１、２等参照）。据付板は、例えば、型紙を使用して据え付けられたり、据え付けられた電力調整器の水平精度を出すために水準器などを用いて水平を確認して固定されたりする。
【０００３】
店舗などは多くの電力を必要とするため、複数台の電力調整器を設置して対応している。複数台の電力調整器は設置のための配線工事の関係から壁面の１箇所に集中して配置され、横方向に並べて据え付けられるのが普通である。この場合、各機器に対応する複数枚の据付板も壁面に並べて固定されることになる。このとき、２枚目あるいはそれ以降の据付板は、再度型紙などを使用する、あるいは据付け後の１枚目の据付板を基準にメジャーを使用するなどして固定位置を決めている。
【先行技術文献】
【特許文献】
【０００４】
【特許文献１】実開平６−０８４２１６号公報
【特許文献２】特開平１１−１３２５５１号公報
【発明の概要】
【発明が解決しようとする課題】
【０００５】
このため、複数台の電力調整器の配線工事の現場では、複数枚の据付板を位置決めするための型紙やメジャーなどの道具を出したりしまったりする手間が煩わしく、また落下、紛失することもあり、作業性が悪かった。
【０００６】
また、据え付けられた複数台の機器が整然と並ぶように仕上がり良く見せるには、複数枚の据付板は上下レベルを合わせ、横方向の間隔を一定にする必要がある。
【０００７】
本発明は、上記の事情に鑑みて、複数枚の据付板を壁面に整然と並べて固定する作業を容易かつ低コストに行えるようにすることを目的とする。
【課題を解決するための手段】
【０００８】
据付板は機器を壁面に据え付けるために使用され、複数枚が横方向または縦方向に壁面に配列して固定される。本発明の据付板は、切欠部、位置決め冶具および係止片を有する。切欠部は前記据付板の縁部の一部を切り欠いて形成される。位置決め冶具は前記据付板の一部に、取り外し可能に一体形成された前記切欠部に対応する形状の位置決め部を有する。係止片は前記切欠部の一部に、当接された前記位置決め冶具の一部を係止するように形成される。
【０００９】
最初に、１枚目の据付板の固定位置を正確に決め、水準器などで水平を確認して壁面に固定する。そして、２枚目の据付板から位置決め冶具を切り離し、固定済みの１枚目の据付板の切欠部に位置決め冶具の上下位置決め部を当接させ、２枚目の据付板の切欠部にも位置決め冶具の上下位置決め部を当接させて２枚目の据付板を固定する。すなわち、最初に固定した１枚目の据付板を基準にしてその隣に、２枚目の据付板から切り離した位置決め冶具を用いて、２枚目の据付板を位置決めして固定する。これにより、この結果、２枚の据付板が壁面に整然と並んで固定される。
【００１０】
３枚以上の据付板を壁面に並べて固定するときも同様である。すなわち、固定済みの据付板のうち配列方向の最後尾にあるものと、新たな据付板との間で上記と同様の作業を行えば良い。これにより、３枚以上の据付板が壁面に整然と並んで固定される。
【００１１】
具体的には、前記切欠部は、前記据付板の一辺の縁部に複数形成される。この複数の切欠部の間に第２当接部が位置する。前記位置決め冶具は、複数の前記位置決め部と、前記複数の位置決め部を接続し、前記第２当接部に当接する第２位置決め部を有する間隔位置決め部とから構成される。これにより、複数箇所で据付板と位置決め冶具との当接が行われ、当接力を強固なものと出来る。
【００１２】
さらに具体的には、前記切欠部は、複数枚の前記据付板の配列方向に平行な一対の第１当接部と前記配列方向に垂直な係止部により矩形状に形成される。前記位置決め部は、前記一対の第１当接部が当接する前記第１位置決め部と前記係止部が係止する被係止部と、を有する。これによると、前記第１当接部と前記第１位置決め部が当接することで前記配列方向に垂直な方向が合致するように位置決めがされ、前記第２当接部と前記第２位置決め部が当接することで前記配列方向の間隔が位置決めされる。
【００１３】
前記位置決め冶具は、上下や裏表を逆にしても使用出来るように、対称な形状に形成されることが望ましい。一例として、前記位置決め冶具は、矩形状に形成された一対の前記位置決め部を前記間隔位置決め部で連続して形成した、全体としてＨ字形状に形成される。
【００１４】
なお、前記係止片の前記切欠部における形成箇所は、前記配列方向に垂直な前記係止部に形成することも出来るし、前記配列方向に平行な前記第１当接部に形成しても良い。また、前記係止片を前記壁面と垂直な方向に弾性を有する薄い金属片で形成すると、位置決め冶具を係止片の弾性力で仮止めすることが可能となる。
【００１５】
また、前記位置決め冶具は、工具を使用せず手で位置決め冶具を切り離すことが出来るようにするのが望ましい。例えば、据付板の面内領域にミクロジョイントで連結される構成が好適である。
【００１６】
前記切欠部の形状には上述したものに限定されない。その他の例として、前記切欠部を前記据付板の中央に向かって傾斜した一対の第３当接部により三角形状に形成しても良い。この場合、前記位置決め冶具は、前記一対の第３当接部が当接する前記第３位置決め部を有する構成となる。これによると、前記第３当接部と第３位置決め部が当接することで、前記複数枚の据付板の配列方向に垂直な方向と、前記配列方向の間隔が合致するように位置決めがされる。
【発明の効果】
【００１７】
この発明によれば、最初に固定した１枚目の据付板を基準にして、２枚目以降の据付板から切り離した位置決め冶具を用いて、２枚目以降の据付板を位置決めして壁面に固定すれば、複数枚の据付板が壁面に整然と並んで固定される。位置決め冶具は据付板が一体に有することから、その材料費は据付板の材料費の中に含まれる。したがって、複数枚の据付板を壁面に並べて固定する作業を容易かつ低コストに行える。
【図面の簡単な説明】
【００１８】
【図１】は本発明の一実施の形態に係る据付板を示す正面図である。
【図２】は本発明の一実施の形態に係る据付板を示す側面図である。
【図３】は位置決め冶具を示す正面図である。
【図４】は図１における位置決め冶具の連結部を示す拡大図である。
【図５】は図１における係止部のV−V線断面図である。
【図６】は機器掛止後の図１におけるVI−VI線断面図である。
【図７】は２枚の据付板を並べて固定した状態を示す正面図である。
【図８】は図７におけるVIII−VIII線断面図である。
【図９】は本発明の他の実施の形態に係る据付板を示す正面図である。
【図１０】は本発明のさらに他の実施の形態に係る据付板を示す正面図である。
【発明を実施するための形態】
【００１９】
以下、本発明の実施の形態を図面を参照しながら説明する。
【００２０】
図１は本発明の一実施の形態に係る据付板を示す正面図である。図６は機器掛止後の図１におけるVI−VI線断面図である。据付板１０は、図６に示すように、建物壁面に、電力調整器やエアコンなどの機器３０を据え付けるために使用される。据付板１０は、後述するように、複数台の機器３０の据付に対応して複数枚が縦方向または横方向に壁面に並べて固定されることも想定されている。据付板１０の材料は孔あけ、切り起こし、絞り出しなどの容易に行える加工性に富んだ材料が望ましく、例えば、金属製の板材が好適である。
【００２１】
図１に示すように、据付板１０は、壁面に固定するための多数の取付孔１１が全体に分散して貫通している。各取付孔１１にビス（不図示）を挿通して壁面に螺着することにより、据付板１０は壁面に固定される。図２は本発明の一実施の形態に係る据付板を示す側面図である。図１、図２に示すように、据付板１０の左下に、据付板１０から垂直に切り起こされた棚１０１が形成されており、据付板１０を壁４００に取り付ける際に棚１０１に水準器などを用いて水平を確認しておく。
【００２２】
据付板１０の左下隅部は、壁に孔を開ける箇所に対応して矩形状に切り欠かれた逃げ部１７となっている。ここで棚１０１は逃げ部１７と据付板１０を区画するように作用する。これにより、据付板１０を壁面に固定した後で、電線のハーネス２００を引き出すための孔４０１を壁４００にあけても、据付板１０が逃げ部１７と区画されているため壁４００の孔４０１と機器３０が干渉することなく、機器３０のキャビネット内に端子と壁４００の孔４０１内の電線とをハーネス２００で接続することが出来る。
【００２３】
機器３０は壁面に固定された据付板１０に引っ掛けて取付けられる。引っ掛けるための構造として、図１、図２に示すように、据付板１０に上部の左右方向両端部には一対のフック部１２が切り起こしで形成されている。他方、図６に示すように、機器３０のキャビネットを構成する背面板３１には、切り起こしで下面が開口した箱型の掛止部３１１を形成し、上記のフック部１２を係合させるようにしている。また、据付板１０の下部にテーパー台形の一対の凸面部１３が絞り出しにより形成されている。凸面部１３は、図６に示すように、先端面で機器３０の背面板３１に当接する。これにより機器３０が前後および左右に傾くことなく安定して壁面に据え付けられる。
【００２４】
据付板１０は複数台の機器３０を整然と並べて設置するために、複数枚が壁面に並べて固定されることを想定している。したがって、そのように複数枚の据付板を並べて壁面に固定するための構造について以下に説明する。本実施の形態では、複数枚の据付板１０を横方向に並べて固定する場合を例に説明する。
【００２５】
図１に示すように、据付板１０の配列方向（本実施の形態では左右方向。）の両端縁部には、据付板１０を切り欠いて切欠部１４が形成される。本実施の形態において据付板１０の一辺の縁部に一対の切欠部１４が形成され、第２当接部１５は、これら一対の切欠部１４の間に位置している。一例として、切欠部１４は据付板１０を矩形に切り欠き形成されており、第１当接部１４１及び係止部１４２を有する。すなわち、第１当接部１４１は切欠部１４の縁部のうち、配列方向に平行な縁部であり、係止部１４２は切欠部１４の縁部のうち、配列方向に垂直な方向の縁部である。第２当接部１５は一対の切欠部１４のうち、一方の切欠部１４の第１当接部１４１と他方の隣接する切欠部１４の第１当接部１４１とを連続する、配列方向に垂直な方向の縁部である。
【００２６】
据付板１０は位置決め冶具２０を一体に有する。位置決め冶具２０は据付板１０の面内領域の中央部に打ち抜きにより矩形の枠１８の中に取り残されたアイランド状に加工されている。図４に示すように、位置決め冶具２０は左右二箇所でミクロジョイント１９により枠１８に連結されている。ミクロジョイントは工具を使用せずに手の力だけでパーツを枠から切り離すことを可能とする加工である。本実施の形態では、位置決め冶具２０は据付板１０に連結された状態では横向きになっているが、使用時には図３に示すように、９０°回転させ縦向きにして使用する。
【００２７】
図３は位置決め冶具２０を示す平面図である。図３に示すように、位置決め冶具２０は位置決め部の一例である上下位置決め部２１及び間隔位置決め部２２で形成されており、一対の上下位置決め部２１が間隔位置決め部２２を介して連続した形状になっている。上下位置決め部２１は据付板１０の切欠部１４に対応した形状に形成され、一例として矩形状の上下位置決め部２１を間隔位置決め部２２で連続させて形成した、全体としてＨ字状をなしている。一対の上下位置決め部２１は間隔位置決め部２２の長手方向の中心線Ｃおよび短手方向の中心線Ｃ´に対称な形状に形成することにより、上下もしくは裏表が逆になっても同形状となる。上下位置決め部２１は第１位置決め部２１１及び被係止部２１２を有している。第１位置決め部２１１は上下位置決め部２１の周縁のうち、配列方向に平行な縁部であり、被係止部２１２は配列方向に垂直な縁部である。第１位置決め部２１１は配列方向（本実施の形態では左右方向。）に垂直方向の位置決め、すなわち、隣接する２枚の据付板１０の上下レベル合わせに使用される。間隔位置決め部２２の縁部には第２位置決め部２２１を有する。第２位置決め部２２１は配列方向に垂直な方向の縁部であり、一対の上下位置決め部２１の隣接する第１位置決め部２１１を接続している。間隔位置決め部２２の短手方向の長さは隣接する２枚の据付板１０の間隔を一定にするのに使用される。被係止部２１２は切欠部１４の係止部１４２に設けてある係止片１６に係止され、据付時に切欠部１４から上下位置決め部２１が抜け落ちないよう作用する。
【００２８】
位置決め冶具２０は上述の通り、複数枚の据付板１０を壁面に取り付ける際に据付板１０から取り外される。取り外された位置決め冶具２０は９０°回転させてあらかじめ据付された１枚の据付板１０の切欠部１４に、第１位置決め部２１１を当接させて使用する。このとき、位置決め冶具２０は対称な形状を呈しているため、例え上下もしくは表裏が逆であっても、切欠部１４の位置に合わせるだけで上下位置決め部２１を当接させることができ、第１位置決め部２１１は第１当接部１４１に当接し、被係止部２１２は係止部１４２に係止する。
【００２９】
図５は係止部１４２の配列方向の断面図である。切欠部１４は、係止片１６を有する。係止片１６は据付板１０に形成され、一例として係止部１４２から段部１６ａを設けて立ち上がらせたＬ字形の肉片で形成される。この場合、図８に示すように、係止片１６の内壁が被係止部２１２を係止し、据付時に切欠部１４から上下位置決め部２１が抜け落ちないよう作用する。
【００３０】
なお、係止片１６は上述のように段部１６ａを設けてＬ字形に持ち上げて形成する。ここで、係止片１６を壁面方向に付勢された弾性を有する薄い金属板で形成し、係止片１６が壁面と垂直な方向に位置決め冶具２０を押さえつけて保持するようにすることもできる。このように係止片１６に弾性を持たせた場合、係止片１６によって固定済みの据付板１０の対応箇所に位置決め冶具２０を当接させると、係止片１６の弾性力で位置決め冶具２０が保持されるため、位置決め冶具２０を手で押さえることがいらず、両手が自由に使えるので、他方の据付板１０の固定作業を容易に行うことが出来る。
【００３１】
次に、複数の据付板を壁面に横方向に並べて固定する作業を図７を参照して説明する。最初に、１枚目の据付板１０Ａの固定位置を正確に決め、水準器などで水平を確認して壁面に固定する。固定は取付孔１１を使用してビス止めにて行う。そして、２枚目の据付板１０Ｂから位置決め冶具２０を切り離し、固定済みの１枚目の据付板１０の右側縁に形成された切欠部１４に位置決め冶具２０を当接させる。このとき、切欠部１４の第１当接部１４１に上下位置決め部２１の第１位置決め部２１１が当接することで、２枚の据付板１０Ａ，１０Ｂの上下レベルが一定に位置決めされる。さらに、据付板１０Ａの第２当接部１１５と第２位置決め部２２１とが当接することで、２枚の据付板１０Ａ，１０Ｂの間隔が位置決めされる。またこの状態では、図８に示すように、位置決め冶具２０は係止片１６により据付板１０前面方向に抜けないように確実に保持されるため、手を離しても落下することがない。
【００３２】
同様に、２枚目の据付板１０Ｂの左側縁に形成された切欠部１４に１枚目の据付板１０Ａに当接させた位置決め冶具２０を当接させると、切欠部１４の第１当接部１４１に上下位置決め部２１の第１位置決め部２１１が当接し、第２当接部１５に間隔位置決め部２１の第２位置決め部２２１が当接することにより、１枚目の据付板１０Ａに対して２枚目の据付板１０Ｂの上下レベル（図７に示す符号Ｌ参照。）が一致するとともに、１枚目の据付板１０Ａと２枚目の据付板１０Ｂの間隔（図７に示す符号Ｄ参照。）も決まる。この状態で、２枚目の据付板を固定する。
【００３３】
このとき、位置決め冶具２０は１枚目の据付板１０Ａと２枚目の据付板１０Ｂの切欠部１４に当接された状態で、係止片１６によって抜けることないため、２枚目の据付板１０Ｂを固定するだけで、追加の作業を要することなく位置決め冶具２０が据付板１０Ａ，１０Ｂとともに壁面に固定される。したがって、不要となった位置決め冶具２０がゴミになることがない。
【００３４】
３枚以上の据付板を壁面に並べて固定するときも同様である。すなわち、固定済みの据付板のうち配列方向の最後尾にあるものと、新たな据付板との間で同様の作業を行えば良い。これにより、３枚以上の据付板が壁面に整然と並べて固定される。すなわち、すべての据付板の上下レベルが位置し、間隔も一定となって整列される。
【００３５】
なお、上述の実施形態では右横方向に配列する方法を例示したが、同様に１枚目の据付板の左縁に形成された切欠部１４に位置決め冶具２０が当接されるよう左横方向に配列することもできる。さらに、３枚以上の据付板を壁面に並べて固定する場合には、１枚目の据付板を基準として左右方向に据付板を並べることもできるし、２枚目の据付板を基準に更にその隣に３枚目の据付板を位置決めして固定することもできる。
【００３６】
また、上述の実施形態では切欠部１４を配列方向の第１当接部１４１と配列方向に垂直な係止部１４２を有することとしたが、据付板１０の中央に向かって傾斜した第３当接部１４３で据付板１０の中央に向かって窄んだ三角形状に形成してもよい。例えば、図９に示すように、第３当接部１４３のみで切欠部１４を形成することができる。この場合、切欠部１４は据付板１０の配列方向に対し垂直な方向の縁部から据付板１０の中央に向かって傾斜した一対の第３当接部１４３により略三角形に切り欠いた形状をなす。この場合、上下位置決め部２１は切欠部１４に対応する形状に形成する。すなわち、間隔位置決め部２２の第２位置決め部２２１の延長線上から略三角形が突出した形状となる。第３当接部１４３は配列方向に対し傾斜しているために、第３当接部１４３と第３位置決め部２１３の当接力が配列方向に垂直な方向に作用して上下レベルを位置決めができるとともに、当接力が配列方向にも分散されて、据付板１０Ａおよび据付板１０Ｂの間隔も同時に位置決めすることができる。この場合、第２当接部１５と第２位置決め部２２１が必ずしも当接する必要はない。さらに、上下位置決め部２１は略三角形状に窄んでいるために、切欠部１４に容易に位置合わせできるとともに上下位置決め部２１を切欠部１４にスライドさせながら当接させることができる。
【００３７】
切欠部１４の形状は制限されない。切欠部１４がどのような形状であっても、上下位置決め部２１と切欠部１４が対応した形状であれば第１当接部１４１と第１位置決め部２１１もしくは第３当接部１４３と第３位置決め部２１３が当接し、２枚目以降の据付板１０の上下レベルの位置決めが容易に行える。また間隔位置決め部２２の第２位置決め部２２１と第２当接部１５、もしくは第３当接部１４３と第３位置決め部２１３を当接させることにより、２枚の据付板１０の間隔を容易に位置決めすることができる。
【００３８】
さらに、上述の実施形態では切欠部１４の係止部１４２に係止片１６を設けることとしたが、これに限られない。図１０に示すように、係止片１６を第１当接部１４１に設けることができる。この場合、当接された位置決め冶具２０が自重で下側に抜け落ちる可能性があっても、例えば位置決め冶具２０の自重が作用する第１当接部１４１下側に係止片１６を設けておくことで、係止片１６が下側に抜け落ちることを阻止できる。さらに、第１当接部１４１上側に係止片１６を設けておくことで、第１当接部１４１下側を中心に壁面に対して垂直前方方向に倒れ落ちることを阻止できる。
【００３９】
以上説明したように、本発明によると、最初に固定した１枚目の据付板１０Ａを基準として、２枚目以降は道具を使用せずに、据付板から切り離した位置決め冶具２０を用いて配列方向およびこれに垂直な方向の位置を決めながら配置して固定することが出来る。したがって、複数枚の据付板を壁面に整然と並べて固定する作業を容易に行える。
【００４０】
なお、上述の実施形態では、複数の据付板を配列方向が横方向である場合を例に説明したが、据付板に切欠部１４を形成する箇所を据付板の上縁及び下縁に変更することで、縦方向の配列にも対応可能である。また、切欠部１４を形成する箇所を据付板の上縁、下縁、左縁、および右縁にすることで、同一の据付板を縦方向または横方向のいずれの配列方向にも兼用出来、また、複数の据付板を縦方向及び横方向に行列状に配置することも可能である。なお、据付板１０を縦方向に配列する場合は、位置決め部を左右位置決め部２１としてもよく、この場合は左右位置決め部２１により複数枚の据付板１０の左右レベルを一定に位置決めすることができる。
【００４１】
また、上述の実施形態では、一対（２つ）の切欠部１４が形成されているとしたが、３つ以上の切欠部１４を設けてもよい。
【００４２】
上述の実施形態の説明は、すべての点で例示であって、制限的なものではないと考えられるべきである。この発明の範囲は、上述の実施形態ではなく、特許請求の範囲によって示される。さらに、この発明の範囲には、特許請求の範囲と均等の意味および範囲内でのすべての変更が含まれることが意図される。
【符号の説明】
【００４３】
１０，１０Ａ，１０Ｂ…据付板
１１…取付孔
１４…切欠部
１４１…第１当接部
１４２…係止部
１４３…第３当接部
１５…第２当接部
１６…係止片
１８…枠
１９…ミクロジョイント
２０…位置決め冶具
２１…位置決め部（上下位置決め部）
２１１…第１位置決め部
２１２…被係止部
２１３…第３位置決め部
２２…間隔位置決め部
２２１…第２位置決め部
３０…機器
３１…背面板
４００…壁
【図１】
0005767089.tif 000002
【図２】
0005767089.tif 000003
【図３】
0005767089.tif 000004
【図４】
0005767089.tif 000005
【図５】
0005767089.tif 000006
【図６】
0005767089.tif 000007
【図７】
0005767089.tif 000008
【図８】
0005767089.tif 000009
【図９】
0005767089.tif 000010
【図１０】
0005767089.tif 000011